(57)【要約】【課題】  光記録媒体へのデータ記録方法及びその装置を提供する。【解決手段】  光記憶媒体へのデータ記録方法は、マルチパルスを含む消去パターンを有する記録波形を用いてマークまたはスペースを形成する。これにより、マークの形状歪曲を抑制すると同時に、マークの形状を改善できて記録／再生特性が向上される。【選択図】      図４
2004253137.tif 000002
【特許請求の範囲】
【請求項１】
光記録媒体へのデータ記録装置において、
マルチパルスを含む消去パターン及び所定の記録パターンを有する記録波形を生成する記録波形生成部と、
生成された記録波形によって前記光記録媒体に光を照射してマークまたはスペースを形成するピックアップ部とを含むことを特徴とする装置。
【請求項２】
外部から提供されたデータをチャンネル変調して生成されたＮＲＺＩデータを前記記録波形生成部へ出力するチャンネル変調部をさらに含むことを特徴とする請求項１に記載の装置。
【請求項３】
前記ピックアップ部は、
前記光記録媒体を回転させるモーターと、
前記光記録媒体にレーザー光を照射させるか、あるいは前記光記録媒体から反射されたレーザー光を受信するための光ヘッドと、
前記モーター及び光ヘッドをサーボ制御するサーボ回路と、
前記光ヘッドに設けられたレーザーを駆動するレーザー駆動回路とを具備することを特徴とする請求項１に記載の装置。
【請求項４】
情報記録媒体へのデータ記録装置において、
記録パターン並びにマルチパルスおよび記録パターンと消去パターンとを結び付ける冷却パルスを有する消去パターンを含む記録波形を生成する記録波形生成部と、
情報記憶媒体においてマークおよび／またはスペースを形成するために生成された記録波形によって情報記録媒体について記録するピックアップ部とを含むことを特徴とする装置。
【発明の詳細な説明】
【技術分野】
【０００１】
本発明は光記録媒体へのデータ記録方法及びその装置に係り、特に光ディスクにマークを形成してデジタルデータを記録する方法及びその装置に関する。
【背景技術】
【０００２】
光記録媒体の１つである光ディスクにデータを記録するということは、光ディスクに形成されたトラックにマークを形成することを意味する。ＣＤ−ＲＯＭ、ＤＶＤ−ＲＯＭなどの読取り専用ディスクの場合マークはピットとして形成される。ＣＤ−Ｒ／ＲＷ、ＤＶＤ−Ｒ／ＲＷ／ＲＡＭなどの記録可能ディスクの場合、記録層には温度によって結晶質または非晶質に変わる相変化膜が塗布されており、マークは相変化膜の相変化を通じて形成される。
【０００３】
データ記録方式は、マークエッジ記録方式とマークポジション記録方式とに分けられる。マークポジション記録方式によれば、検出されたＲＦ信号の振幅がマークが記録された位置において正／負から負／正に変更される。マークエッジ記録方式によれば、検出されたＲＦ信号の振幅がマークの両端で正／負から負／正に変更される。したがって、マークのエッジを正確に記録することは再生信号の品質を向上させるのに重要な要素となる。
【０００４】
しかし、相変化膜が塗布されたディスクの場合、従来の記録方法によって記録されたマークの終端（Ｔｒａｉｌｉｎｇ  Ｅｄｇｅ）を観察してみれば、マーク長またはマーク間隔、すなわちスペースの長さによってその形が異なることが分かる。換言すれば、マークの終端がマークの先端（Ｌｅａｄｉｎｇ  Ｅｄｇｅ）に比べて大きく形成されて記録／再生特性を低下させている。これは、記録マーク長が相対的に長い場合には熱蓄積によりさらに著しくなる。
【０００５】
図１は、従来の方式による記録波形を示す参考図である。非ゼロ復帰反転（Ｎｏｎ  Ｒｅｔｕｒｎ  ｔｏ  Ｚｅｒｏ  Ｉｎｖｅｒｔｅｄ；ＮＲＺＩ）データを記録するための多様な記録波形（ａ），（ｂ）及び（ｃ）が図示されている。記録波形（ａ）は、ＤＶＤ−ＲＡＭのためのものであり、記録波形（ｂ）及び（ｃ）は、ＤＶＤ−ＲＷのためのものである。ここで、Ｔは基準クロックの周期を意味する。マークエッジ記録方式によれば、ＮＲＺＩデータのハイレベルはマークとして記録され、ローレベルはスペースとして形成される。マークの記録に用いられる記録波形は記録パターンと言い、スペースの形成に用いられる（マークの消去に用いられる）記録波形は消去パターンと言う。従来の記録波形（ａ），（ｂ）及び（ｃ）は、記録パターンとしてマルチパルスを利用し、区間Ｅに示されたように、消去パターンのパワーを所定のＤＣレベルに一定に保つ。
【０００６】
このように従来の記録波形に含まれている消去パターンは、所定時間ＤＣレベルを一定に保つために該当領域に約０〜２００℃の熱が持続的に加えられる。したがって、複数回繰返して記録すれば劣化が生じてマークの形に歪曲を招いて記録／再生特性が顕著に低下される問題点がある。特に、かかる問題点は、ディスクにさらに多くのデータを記録するために高密度、高線速化が進行されることによって、基準クロックの周期Ｔが減少されて記録波形を構成するパルス間の熱干渉が大きくなってさらに著しくなる。
【０００７】
一方、従来には、光ディスクの種類、特にＤＶＤ−ＲＡＭ、ＤＶＤ−ＲＷなどの規格によって相異なる記録波形を使用する。なぜなら記録膜の特性が相異なるからである。ディスク毎に相異なる記録波形を用いなければならないことは、あらゆる規格のディスクを記録／再生可能なマルチドライブの製造時に特に問題となる。マルチドライブは、多様な種類の記録波形を具現せねばならないからである。これはコスト高の原因となる。
【発明の開示】
【発明が解決しようとする課題】
【０００８】
前記問題点を解決するための本発明の目的は、マークの先端及び終端の形状歪曲をさらに抑制でき、かつ反復記録による劣化を抑制できる記録波形によりデータを記録する装置を提供するところにある。
【０００９】
本発明の他の目的は、マーク形状をさらに改善できる消去パターンを有する記録波形によりデータを記録する装置を提供するところにある。
【００１０】
本発明のさらに他の目的は、多様な特性の記録膜を有するディスクに適用可能な記録波形によりデータを記録する装置を提供するところにある。
【課題を解決するための手段】
【００１１】
前記目的は、本発明によって、光記録媒体へのデータ記録方法光記録媒体にデータを記録する方法であって、マルチパルスを含む消去パターンを有する記録波形を用いてマークまたはスペースを形成する段階を含むことを特徴とする方法によって達成される。
【００１２】
前記マークまたはスペースを形成する段階は、ランレングスリミテッド（ＲＬＬ）（２、１０）に基づき、所定のＮＲＺＩデータの第１レベルをマークとして、第２レベルをスペースとして記録する段階であることが望ましい。
【００１３】
一方、前記目的は、光記録媒体へのデータ記録方法において、（ａ）チャンネル変調されたデジタルデータを生成する段階と、（ｂ）マルチパルスを含む消去パターン及び所定の記録パターンを含む記録波形を生成する段階と、（ｃ）生成された記録波形を用いて前記デジタルデータの第１レベルをマークとして形成し、第２レベルをスペースとして形成する段階とを含むことを特徴とする方法によっても達成される。
【００１４】
前記（ａ），（ｂ）及び（ｃ）段階は、ＲＬＬ（２、１０）またはＲＬＬ（１、７）に基づくことが望ましい。
【００１５】
前記消去パターンの先頭パルスのパワーレベルは前記マルチパルスのローレベルであり、最後のパルスのパワーレベルはハイレベルであることが望ましく、前記消去パターンの先頭パルスのパワーレベルは前記マルチパルスのハイレベルであり、最後のパルスのパワーレベルはハイレベルであるか、あるいは前記消去パターンの先頭パルスのパワーレベルは前記マルチパルスのローレベルであり、最後のパルスのパワーレベルはローレベルであることが望ましい。
【００１６】
前記マルチパルスのハイレベル：ローレベルの持続時間の比率は１：１であり、前記ハイレベルの持続時間は、クロック周期の１／２であることが望ましい。
【００１７】
前記（ａ）段階は、所定のＮＲＺＩデータの第１レベルをマークとして形成する段階であり、前記（ｂ）段階は、前記ＮＲＺＩデータの第２レベルをスペースとして形成する段階であることが望ましい。
【００１８】
前記記録波形は冷却パルスを含み、前記消去パターンは前記冷却パルスの一部を含む。前記冷却パルスの終了点が前記ＮＲＺＩ信号の立下りエッジから０．５Ｔより小さいか、大きい場合に前記消去パターンを構成する先頭パルスの持続時間が０．５Ｔ以上に延びることが望ましい。
【００１９】
前記マルチパルスを構成する単位パルスは、前記記録パターンを構成する先頭パルスの持続時間によって調節されるハイレベル及びローレベルを有することが望ましい。
【００２０】
前記記録パターンは、少なくとも２つのパワーレベルを有することが望ましい。
【００２１】
一方、本発明の他の分野によれば、前記目的は、光記録媒体へのデータ記録装置において、マルチパルスを含む消去パターン及び所定の記録パターンを有する記録波形を生成する記録波形生成部と、生成された記録波形によって前記光記録媒体に光を照射してマークまたはスペースを形成するピックアップ部を含むことを特徴とする装置によっても達成される。
【００２２】
前記装置は、外部から提供されたデータをチャンネル変調して生成されたＮＲＺＩデータを前記記録波形生成部へ出力するチャンネル変調部をさらに含むことが望ましい。
【００２３】
前記ピックアップ部は、前記光記録媒体を回転させるモーターと、前記光記録媒体にレーザー光を照射させるか、あるいは前記光記録媒体から反射されたレーザー光を受信するための光ヘッドと、前記モーター及び光ヘッドをサーボ制御するサーボ回路と、前記光ヘッドに設けられたレーザーを駆動するレーザー駆動回路とを具備することが望ましい。
【発明の効果】
【００２４】
前述したように本発明によれば、記録時に隣接マーク間の熱干渉及び熱蓄積によるマークの形状歪曲を抑制すると同時に、マークの形状を改善させることによって、記録／再生特性が向上される。
【発明を実施するための最良の形態】
【００２５】
以下、添付した図面に基づいて本発明の望ましい実施例を詳細に説明する。
【００２６】
図２は、本発明の望ましい実施例に係る記録装置のブロック図である。記録装置は、光記録媒体２００にマークまたはスペースを形成することによってデータを記録する装置であって、ピックアップ部１、記録波形生成部２及びチャンネル変調部３を具備する。
【００２７】
チャンネル変調部３は、外部から入力されたデータをチャンネルビット列に変調する。記録波形生成部２は、チャンネルビット列を提供され、これを記録するための記録波形を生成する。本発明によって生成された記録波形は、消去マルチパルスを有する消去パターンを含む。記録波形に関する詳細な説明は後述する。ピックアップ部１は、生成された記録波形によって光記録媒体１に光を照射してマークまたはスペースを形成する。
【００２８】
図３は、図２の一具現例であり。但し、同じ機能を行うブロックに対しては図２のそれと同じ参照番号を付して反復される説明は略す。記録装置はピックアップ部１、記録波形発生回路２及びチャンネル変調器３を含む。ピックアップ部１は、光ディスク２００を回転させるためのモーター１１、光ディスク２００にレーザー光を照射させたり、光ディスク２００から反射されたレーザー光を受信したりするための光ヘッド１３、モーター１及び光ヘッド１３をサーボ制御するサーボ回路１２及び光ヘッド１３に設けられたレーザー（図示せず）を駆動するレーザー駆動回路１４を具備する。
【００２９】
チャンネル変調器３は、入力されたデータをチャンネルビット列に変調してＮＲＺＩデータを出力する。記録波形発生回路２は、ＮＲＺＩデータを記録するための記録波形を発生させてピックアップ部１に備えられたレーザー駆動回路１４に提供する。
【００３０】
レーザー駆動回路１４は受信された記録波形を用いてレーザーを制御することによって光ディスク２００にマークまたはスペースを形成させる。
【００３１】
図４は、記録波形発生回路２により生じる記録波形の一例である。ＮＲＺＩデータはチャンネル変調器３の変調方式によって変わる。すなわち、ＲＬＬ（Ｒｕｎ  Ｌｅｎｇｔｈ  Ｌｉｍｉｔｅｄ）（２，１０）系列で変調する場合、すなわちＥＦＭ（Ｅｉｇｈｔ  ｔｏ  ｆｏｕｒｔｅｅｎ  Ｍｏｄｕｌａｔｉｏｎ）、ＥＦＭ＋（Ｅｉｇｈｔ  ｔｏ  ｆｏｕｒｔｅｅｎ  Ｍｏｄｕｌａｔｉｏｎ  ｐｌｕｓ）、Ｄ（８−１５）及びデュアル変調によれば、最小マーク長は３Ｔであり、最大マーク長は１１Ｔである。ここで、Ｄ（８−１５）は２００１年ＯＤＳ（Ｏｐｔｉｃａｌ  Ｄａｔａ  Ｓｔｏｒａｇｅ）で松下が“Ｏｐｔｉｃａｌ  Ｄｉｓｃ  Ｒｅｃｏｒｄｉｎｇ  Ｓｙｓｔｅｍ  ｏｆ  ２５ＧＢ  Ｃａｐａｃｉｔｙ”で発表した変調方式を言う。デュアル変調は、本出願人により１９９９年９月３０日付にて出願され、２０００年１１月２５日付にて公開された韓国特許出願第９９−４２０３２号“改善されたＤＣ抑圧能力を有するＲＬＬコード配置方法、変調方法及び復調装置”に開示されている。ＲＬＬ（１，７）系列を用いて記録すれば。最小記録マークは２Ｔであり、最大記録マークは８Ｔである。
【００３２】
ＮＲＺＩデータのハイレベルをマークとして形成し、ローレベルをスペースとして形成する時、記録波形は７Ｔの長さを有するマークを記録するための記録パターン、３Ｔの長さを有するスペースを形成するための消去パターン及び３Ｔの長さを有するマークを記録するための記録パターンを含む。
【００３３】
記録パターンはパルス列を含む。消去パターンも、区間Ｆに示されたように、パルス列で構成される。Ｔｍｐは記録パターンを構成するマルチパルスの幅を示す。ここで、マルチパルスは幅とパワーとの大きさが同一である少なくとも２つのパルスを示す。本実施例においてＴｍｐは０．５Ｔである。Ｔｌｐは、記録パターンを構成する最後のパルス幅を示す。Ｔｃｌは、冷却パルスの幅（持続時間）を示す。冷却パルスは、記録パターンと消去パターンとに亘って存在する。Ｔｅｍｐは、消去パターンを構成する消去マルチパルスの幅を示す。本実施例においてＴｅｍｐは０．５Ｔである。Ｔｓｆｐは、ＮＲＺＩデータがローレベルからハイレベルにスイッチングされる時点から記録パターンを構成する先頭パルスが始まるまでの時間を意味する。Ｔｓｆｐは、消去パターンのパワーレベルに影響を及ぼす。すなわち、示されたようにＴｓｆｐが０．５Ｔより大きい場合に消去パターンに含まれたマルチパルスがローレベルＰｂ１で終了されれば、後続するＴｓｆｐはマルチパルスのハイレベルＰｂ２で始まる。逆に、Ｔｓｆｐが０．５Ｔより小さい場合に消去パターンに含まれたマルチパルスがローレベルＰｂ１で終了されれば、後続するＴｓｆｐはマルチパルスのローレベルＰｂ１を保ち続ける。
【００３４】
図５は、記録波形発生回路２により生じる記録波形の他の例である。ＮＲＺＩデータのハイレベルをマークとして形成し、ローレベルをスペースとして形成する時、記録波形は７Ｔの長さを有するマークを記録するための記録パターン、５Ｔの長さを有するスペースを形成するための消去パターン及び３Ｔの長さを有するマークを記録するための記録パターンを含む。
【００３５】
同様に、記録パターンはパルス列で構成される。消去パターンも、区間Ｇに示されたように、パルス列で構成される。Ｔｍｐは、記録パターンを構成するマルチパルスの幅を示す。マルチパルスは、幅とパワーの大きさが同一である少なくとも１つのパルスを示す。本実施例においてＴｍｐは０．５Ｔである。Ｔｌｐは、記録パターンを構成する最後のパルスの幅を示す。Ｔｃｌは、冷却パルスの幅（持続時間）を示す。冷却パルスは、記録パターンと消去パターンとに亘って存在する。Ｔｅｍｐは、消去パターンを構成する消去マルチパルスの幅を示す。本実施例においてＴｅｍｐは０．５Ｔである。Ｔｓｆｐは、ＮＲＺＩデータがローレベルからハイレベルにスイッチングされる時点から記録パターンを構成する先頭パルスが始まるまでの時間を意味する。Ｔｓｆｐは、消去パターンのパワーレベルに影響を及ぼす。すなわち、示されたように、Ｔｓｆｐが０．５Ｔより大きい場合に消去パターンに含まれたマルチパルスがローレベルＰｂ１で終了されれば、後続するＴｓｆｐはマルチパルスのハイレベルＰｂ２で始まる。逆に、Ｔｓｆｐが０．５Ｔより小さい場合には消去パターンに含まれたマルチパルスがローレベルＰｂ１で終了されれば、後続するＴｓｆｐはマルチパルスのローレベルＰｂ１を保ち続ける。
【００３６】
図６は、本発明の望ましい実施例に係る４つのタイプの消去パターンを説明するための波形図である。本発明に係る消去パターンは、（ａ）ＬＨ、（ｂ）ＨＨ、（ｃ）ＨＬ及び（ｄ）ＬＬの４つのタイプに分類される。各消去パターンの違いを容易に区分できるように丸を付けた。まず、（ａ）ＬＨは、消去パターンを構成する先頭パルスのパワーが後続する消去マルチパルスのローレベルＰｂ１と同一であり、消去パターンを構成する最後の消去マルチパルスがローレベルＰｂ１で終了された後、後続するＴｓｆｐのパワーレベルが消去マルチパルスのハイレベルＰｂ２と同一である場合を言う。（ｂ）ＨＨは、消去パターンを構成する先頭パルスのパワーが後続する消去マルチパルスのハイレベルＰｂ２と同一であり、消去パターンを構成する最後の消去マルチパルスがハイレベルＰｂ２で終了された後、後続するＴｓｆｐのレベルが消去マルチパルスのハイレベルＰｂ２に持続される場合を言う。（ｃ）ＨＬは、消去パターンを構成する先頭パルスのパワーが後続する消去マルチパルスのハイレベルＰｂ２と同一であり、消去パターンを構成する最後の消去マルチパルスがハイレベルＰｂ２で終了された後、後続するＴｓｆｐのレベルが消去マルチパルスのローレベルＰｂ１と同一である場合を言う。最後に、（ｄ）ＬＬは、消去パターンを構成する先頭パルスのパワーが後続する消去マルチパルスのローレベルＰｂ１と同一であり、消去パターンを構成する最後の消去マルチパルスがローレベルＰｂ１で終了された後、後続するＴｓｆｐのレベルが消去マルチパルスのローレベルＰｂ１で持続される場合を言う。
【００３７】
図７は、図６の（ａ）ＬＨの他の例である。（ｅ）ＬＨ２は、図６の（ａ）ＬＨと同一であるが１周期を構成する消去マルチパルスのハイレベルＰｂ２の持続時間Ｔｅｍｐ１とローレベルＰｂ１の持続時間Ｔｅｍｐ２の値が各々０．７Ｔ及び０．３Ｔと相異なる。（ｆ）ＬＨ３も図６の（ａ）ＬＨと同一であるが、消去マルチパルスのハイレベルＰｂ２とローレベルＰｂ１の持続時間Ｔｅｍｐが１．０Ｔである。ここで、１周期を構成する消去マルチパルスのハイレベルＰｂ２の持続時間Ｔｅｍｐ１とローレベルＰｂ１の持続時間Ｔｅｍｐ２との比率はｍ：ｎと多様に変更しうる（ｍ，ｎは整数）。
【００３８】
このように、本発明に係る記録波形は、そのパワーがハイレベルＰｂ２とローレベルＰｂ１を有する消去マルチパルスを含む消去パターンを有することでマークの終端の歪曲を減少させ、再生特性を向上させる。特に、前述した実施例で示された記録波形は、消去マルチパルスのハイレベルＰｂ２とローレベルＰｂ１の持続時間をクロック周期Ｔに対して０．２５〜０．７５Ｔの範囲内で調節してディスク２００の熱特性に適した持続時間を選択して構成したものであるためにさらに顕著に現れる。
【００３９】
一方、このような４つのタイプの消去パターンに関する情報（タイプ情報）は記録可能ディスクのリードイン領域に記録されるか、あるいはウォッブル信号にヘッダ情報の１つとして載せられる。これにより、記録装置はデータの記録時にリードイン領域やウォッブル信号からタイプ情報を読取って該当記録波形を生じてマーク及びスペースを形成しうる。
【００４０】
また、４つのタイプの消去パターンは、記録再生時にディスクの倍速やマークの種類を示す記号として使用されうる。例えば、「ＬＨタイプの消去パターンを使用するディスクは倍速を２０にする」という情報を表示できる。
【００４１】
本発明の効果を調べるためにシミュレーションを通じて記録されたマークの形状を観察した。シミュレーションに使われた構造は次の表１のようである。使われたディスクは４層膜構造を有する。
【００４２】
【表１】
2004253137.tif 000003
シミュレーション条件は、波長４０５ｎｍ、開口数（ＮＡ）０．６５、線速度６ｍ／ｓとした。マーク形状を観察するために８Ｔのマークを記録した後、４Ｔが重なるようにさらに８Ｔのマークを記録した。従来の記録波形を用いた場合と本発明に係る記録波形を用いた場合とのそれぞれのマーク形状を比較した結果は、図８ないし図１０に示した。図８の（ａ）は、シミュレーションにより形成されたマークを、（ｂ）は（ａ）上に本発明に係る記録波形により形成されたマークを、（ｃ）は（ａ）上に従来の技術に係る記録波形により形成されたマークを各々示す。同様に、図９の（ｄ）は、シミュレーションにより形成されたマークを、（ｅ）は（ｄ）上に本発明に係る消去パターンを有する記録波形により形成されたマークを、（ｆ）は（ｄ）上に従来の技術に係るＤＣ消去パターンを有する記録波形により形成されたマークを各々示す。図１０の（ｇ）は、シミュレーションにより形成されたマークを、（ｈ）は（ｇ）のマークを本発明に係る消去パターンで消去した後を、（ｉ）は（ｇ）上に従来の技術に係るＤＣ消去パターンで消去した後を各々示す。
【００４３】
次の表２は、熱解釈のためにシミュレーションに用いられた薄膜のパラメータである。
【００４４】
【表２】
2004253137.tif 000004
また、図８ないし図１０のシミュレーション結果を参照すれば、図８の（ｃ）の従来のＤＣ消去パターンを有する記録波形で形成されたマークの終端に比べ、（ｂ）の本発明に係る消去パターンを有する記録波形で形成されたマークのそれがさらに良好であることが分かる。マークの先端の形状は、図９で確認されるように終端と同様に本発明に係る消去パターンを使用することによってさらに良好であることが分かる。以上のシミュレーション結果から、本発明によって消去マルチパルスで構成された消去パターンを有する記録波形を使用することによって、マークの形状が従来に比べて改善されることを確認した。消去マルチパルスの形態、幅、パワーレベルの調節によりマークの形態歪曲をさらに減少させうる。
【００４５】
本発明の効果を実験的に検証するためにレーザー波長６５０ｎｍ、開口数（ＮＡ）０．６０のＤＶＤ評価器を用いて４．７ＧＢ
ＤＶＤ−ＲＡＭと４．７ＧＢ ＤＶＤ−ＲＷディスクに、図４及び５に示す記録波形を得るのに必要なパラメータ、すなわち持続時間及びパワーレベルを求めた後、反復記録／再生特性を既存の方式と比較した。
【００４６】
図１１ないし図１５は、ＤＶＤ−ＲＡＭに関する特性を示すグラフであって、図１１ないし図１３は、従来のＤＣ消去パターンを有する記録波形による記録時のパワー及び時間特性を示し、図１４及び図１５は本発明に係る記録波形による記録時の改善された特性を示す。
【００４７】
図１１の（ａ）及び（ｂ）は、既存のＤＣ消去においてマークの先端、終端及び両端に関する記録パワー及び消去パワーによるジッタ特性を各々示す。（ａ）及び（ｂ）から、本実験のための記録パワーは１４．５ｍＷ、消去パワーは６ｍＷを選択した。
【００４８】
図１２及び図１３は、既存のＤＣ消去において測定された結果を示す。図１２の（ａ），（ｂ），（ｃ）及び図１３の（ａ）及び（ｂ）を参照すれば、３Ｔと４Ｔ以上に対して各々Ｔｓｆｐ＝０．５Ｔ，０．４Ｔが最も望ましいジッタ特性を示し、Ｔｌｅは特性に大差なく、Ｔｌｐは０．７Ｔと良好であることが分かる。
【００４９】
このように実験的に求められたパラメータに基づいて前述した４つのタイプの消去パターンを有する記録波形でマークを形成した後、形成されたマークの特性を測定した結果は次の通りである。
【００５０】
図１４は、本発明によって図６に示した４つのタイプの消去パターンのジッタ特性を示している。本発明に係る消去パターン、図６に係る４つのタイプの消去パターンを有する記録波形による記録時にジッタ特性が良好であることが分かる。特に、図１４の（ａ）を参照すれば、４つのタイプのうちＬＨタイプが最も優れていることが分かる。図１４の（ｂ）を参照すれば、本発明に係る消去マルチパルスで構成された消去パターンを用いて消去する場合、消去マルチパルスのハイレベルとローレベルとの差ΔＰｂ（Ｐｂ２−Ｐｂ１）に対してそのジッタ特性が分かる。５ｍＷまでは大差ないということが確認できる。
【００５１】
図１５は、本発明に係る消去パターンを有する記録波形を用いて反復記録／再生した結果のジッタ特性を、ＤＣ消去パターンを有する従来の記録波形のそれと比較して示す。図１５を参照すれば、容易に分かるように本発明によって消去マルチパルスを用いて消去した場合、特に反復記録特性面で優秀な結果を示している。
【００５２】
図１６ないし図２０は、ＤＶＤ−ＲＷに関する特性を示すグラフである。図１６ないし図１８は、従来のＤＣ消去パターンを有する記録波形による記録時のパワー及び時間特性を示し、図１９及び図２０は本発明に係る記録波形による記録時に改善された特性を示す。
【００５３】
図１６の（ａ）及び（ｂ）は、各々既存のＤＣ消去においてマークの先端、終端及び両端に対する記録パワー及び消去パワーによるジッタ特性を示す。（ａ）及び（ｂ）において、記録パワーは１４．０ｍＷ、消去パワーは６ｍＷを選択した。
【００５４】
図１７及び図１８は、既存のＤＣ消去において測定された結果を示す。図１７及び１８を参照すれば、３Ｔと４Ｔ以上に対して各々Ｔｓｆｐ＝０．３Ｔ，０．０５Ｔが最も望ましく、Ｔｌｐは０．５５Ｔで良好であり、Ｔｌｅは１．０Ｔ，１．１Ｔが良好であることが分かる。
【００５５】
このように実験的に求められたパラメータに基づいて前述した４つのタイプの消去パターンを有する記録波形でマークを形成した後、形成されたマークの再生特性を測定したところ、次の通りである。
【００５６】
図１９は、図６に示した４つのタイプの消去パターンのジッタ特性を示している。４つのタイプのうちＬＨタイプが最も優秀なのが分かる。また、本発明に係る消去マルチパルスよりなる消去パターンを用いて消去する場合、消去マルチパルスのハイレベルとローレベルとの差ΔＰｂ（Ｐｂ２−Ｐｂ１）に対してそのジッタ特性が観察できる。３ｍＷから特性が急に劣化するので、反復記録／再生実験の条件としては１ｍＷを選択した。
【００５７】
図２０は、本発明に係る消去パターンを有する記録パルスを用いて反復記録／再生した結果のジッタ特性を示す。本発明によって消去マルチパルスを用いて消去した場合、特に反復記録特性面で優秀な結果を示していることが容易に分かる。しかし、２０００回以上ではむしろジッタ特性が急に劣化する。これにより、通常のＤＶＤ−ＲＷで保障する１０００回の反復記録までは本発明に係るパルス消去方法が有利であることが分かる。
【００５８】
一方、以上の実験は、ＤＶＤフォーマットによって行われたためにＥＦＭ＋変調方式を使用したが、記録マークを安定に記録するために一般に用いられるその他の変調方式、例えば、ＲＬＬ（１、７）、Ｄ（８−１５）、デュアル変調などを適用しても同じ結果が得られる。
【００５９】
前述したような構成に基づいて本発明の望ましい実施例に係る記録方法を説明すれば次の通りである。
【００６０】
図２１は、本発明の望ましい実施例に係る記録方法を説明するためのフローチャートである。記録装置は外部からデータを入力されて変調してＮＲＺＩデータを生成する（１８０１段階）。次いで、消去マルチパルスを含む消去パターンを有する記録波形を生成する（１８０２段階）。次いで、生成された記録波形を用いて光ディスク２００にマークまたはスペースを形成する（１８０３段階）。
【図面の簡単な説明】
【００６１】
【図１】従来の方式に係る記録波形を示す参考図である。
【図２】本発明の望ましい実施例に係る記録装置のブロック図である。
【図３】図２の一具現例である。
【図４】記録波形発生回路により生じる記録波形の一例である。
【図５】記録波形発生回路により生じる記録波形の他の例である。
【図６】本発明の望ましい実施例に係る４つのタイプの消去パターンを説明するための波形図である。
【図７】図６の（ａ）ＬＨの他の例を示す図である。
【図８】シミュレーションを通じて記録されたマークの形状である。
【図９】シミュレーションを通じて記録されたマークの形状である。
【図１０】シミュレーションを通じて記録されたマークの形状である。
【図１１】ＤＶＤ−ＲＡＭに関する特性を示すグラフである。
【図１２】ＤＶＤ−ＲＡＭに関する特性を示すグラフである。
【図１３】ＤＶＤ−ＲＡＭに関する特性を示すグラフである。
【図１４】ＤＶＤ−ＲＡＭに関する特性を示すグラフである。
【図１５】ＤＶＤ−ＲＡＭに関する特性を示すグラフである。
【図１６】ＤＶＤ−ＲＷに関する特性を示すグラフである。
【図１７】ＤＶＤ−ＲＷに関する特性を示すグラフである。
【図１８】ＤＶＤ−ＲＷに関する特性を示すグラフである。
【図１９】ＤＶＤ−ＲＷに関する特性を示すグラフである。
【図２０】ＤＶＤ−ＲＷに関する特性を示すグラフである。
【図２１】本発明の望ましい実施例に係る記録方法を説明するためのフローチャートである。
【符号の説明】
【００６２】
１      ピックアップ部
２      記録波型発生回路
３      チャンネル変調部
１１    モータ
１２    サーボ回路
１３    光ヘッド
１４    レーザー駆動回路
２００  光ディスク
【図１】
2004253137.tif 000005
【図２】
2004253137.tif 000006
【図３】
2004253137.tif 000007
【図４】
2004253137.tif 000008
【図５】
2004253137.tif 000009
【図６】
2004253137.tif 000010
【図７】
2004253137.tif 000011
【図８】
2004253137.tif 000012
【図９】
2004253137.tif 000013
【図１０】
2004253137.tif 000014
【図１１】
2004253137.tif 000015
【図１２】
2004253137.tif 000016
【図１３】
2004253137.tif 000017
【図１４】
2004253137.tif 000018
【図１５】
2004253137.tif 000019
【図１６】
2004253137.tif 000020
【図１７】
2004253137.tif 000021
【図１８】
2004253137.tif 000022
【図１９】
2004253137.tif 000023
【図２０】
2004253137.tif 000024
【図２１】
2004253137.tif 000025